(57)【要約】【課題】遊技領域に打ち出された遊技球に、予測困難で新奇な動きを与えながらその転動方向を振り分けるようにした遊技機を提供する。【解決手段】ステージＳに備えた振分け装置２４が、液体Ｌｉを収容した液体収容部４１と、該液体Ｌｉに浮遊した状態で、上流側から転動してくる遊技球Ｂａを下流側に通過させる際に揺動する浮遊部材３８とを有している。このため、ステージＳを通過する遊技球を受ける浮遊部材３８が、該遊技球の重量移動に起因して液体Ｌｉ上で揺れることにより、遊技球に予測困難で新奇な動きを与えながらその転動方向を振り分けることができる。【選択図】図２
2009095500.tif 000002
【特許請求の範囲】
【請求項１】
遊技領域に、該遊技領域に打ち出された遊技球を転動させる流路を備えた遊技機において、
前記流路に、遊技球の転動方向を振り分ける振分け装置を備え、
該振分け装置は、液体を収容した液体収容部と、該液体に浮遊した状態で、上流側から転動してくる遊技球を下流側に通過させる際に揺動する浮遊部材と、を有してなる、
ことを特徴とする遊技機。
【請求項２】
前記遊技領域に、特別遊技抽選の契機となる入賞が行われる始動入賞口を備え、
前記振分け装置は、前記浮遊部材を通過した遊技球を受け入れて転動させた後に前記始動入賞口に選択的に入賞させ得る転動部を更に有し、
該転動部は、前記浮遊部材からの遊技球を該浮遊部材の向きに応じて一方向と他方向の何れかに転動移動させる転動路と、該転動路を転動している遊技球を落下させて前記始動入賞口に導く案内路と、を有してなる、
請求項１記載の遊技機。
【請求項３】
前記案内路は、
前記浮遊部材を通過した遊技球を高確率で前記始動入賞口に入賞させ得る第１案内路と、
前記浮遊部材を通過した遊技球を前記第１案内路より低い確率で前記始動入賞口に入賞させ得る第２案内路と、を有してなる、
請求項２記載の遊技機。
【請求項４】
前記浮遊部材は、上流側を向く一端部に連結された連結部材を介して前記液体収容部内の液体上にて揺動自在に支持されて浮遊してなる、
請求項１ないし３の何れか１項記載の遊技機。
【請求項５】
前記浮遊部材は、遊技球を転動させる転動面に、転動する遊技球の障害物となる複数の凸部を有してなる、
請求項１ないし４の何れか１項記載の遊技機。
【発明の詳細な説明】
【技術分野】
【０００１】
本発明は、パチンコ機等の遊技機に係り、詳しくは、遊技領域に打ち出された遊技球に新奇な動きを与えるようにした遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている。
【０００３】
このようなパチンコ機では、一般入賞口に入球した際にはそれに対応した個数の遊技球が払い出され、また始動チャッカーに入球した際にはこれに基づいて当たり外れや演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカーを介した聴覚的表現などを用い、様々な演出が行われる。なお、当たり（以下、「大当たり」ともいう）の発生時（つまり、特別遊技状態の抽選に当選した時）には、アタッカーと呼ばれる大入賞口が開放し、入球に対応して多量の遊技球が払い出される遊技者に有利な特別遊技状態となる。
【０００４】
上記パチンコ機において、ステージに備えた振分け部が、球放出部に遊技球を導く第１溝と、遊技球をステージ前方に放出する第２溝とを互に近接させ、且つ着地部の湾曲状転動面を臨むように構成されたものが知られている（特許文献１参照）。該遊技機によれば、跳躍部、着地部及び振分け部を有するシンプルな構成でありながら、ワープ導入口から導入されて跳躍部で跳躍する遊技球が着地部の湾曲状転動面又は傾斜転動面に着地する状態を、新奇な驚きを感じさせつつ遊技者に視認させると共に、その後遊技球が球放出部に運良く案内されるか否かに遊技者の気持ちを集中させ得る。
【０００５】
【特許文献１】特開２００７−２３６７８７号公報
【発明の開示】
【発明が解決しようとする課題】
【０００６】
しかし、特許文献１に記載のパチンコ機によれば、遊技球の動きを用いた演出性を従来に比して高めることはできるものの、遊技球を跳躍させて着地させるという、或る程度予測できる範囲内の動きを用いており、それまでに無い、予測困難な意外性のある遊技球の動きによる演出性を提供することは困難であった。
【０００７】
そこで本発明は、遊技領域に打ち出された遊技球に、予測困難で新奇な動きを与えながらその転動方向を振り分けるように構成し、もって上述した課題を解決した遊技機を提供することを目的とするものである。
【課題を解決するための手段】
【０００８】
請求項１に係る本発明は（例えば図１ないし図５参照）、遊技領域（３ａ）に、該遊技領域に打ち出された遊技球（Ｂａ）を転動させる流路（例えばＳ）を備えた遊技機（１）において、
前記流路（例えばＳ）に、遊技球（Ｂａ）の転動方向を振り分ける振分け装置（２４）を備え、
該振分け装置（２４）は、液体（Ｌｉ）を収容した液体収容部（４１）と、該液体（Ｌｉ）に浮遊した状態で、上流側から転動してくる遊技球（Ｂａ）を下流側に通過させる際に揺動する浮遊部材（３８，５５）と、を有してなる、
ことを特徴とする遊技機（１）にある。
【０００９】
なお、上記「揺動」は、液体上に浮かんだ状態で揺れ動く状態を意味する語句である。
【００１０】
請求項２に係る本発明は（例えば図２ないし図５参照）、前記遊技領域（３ａ）に、特別遊技抽選の契機となる入賞が行われる始動入賞口（２７）を備え、
前記振分け装置（２４）は、前記浮遊部材（３８，５５）を通過した遊技球（Ｂａ）を受け入れて転動させた後に前記始動入賞口（２７）に選択的に入賞させ得る転動部（４６）を更に有し、
該転動部（４６）は、前記浮遊部材（３８）からの遊技球（Ｂａ）を該浮遊部材（３８，５５）の向きに応じて一方向（例えば図３の時計回り方向）と他方向（例えば図３の反時計回り方向）の何れかに転動移動させる転動路（４７，４８）と、該転動路（４７，４８）を転動している遊技球（Ｂａ）を落下させて前記始動入賞口（２７）に導く案内路（４３，４９、５０）と、を有してなる、
請求項１記載の遊技機（１）にある。
【００１１】
請求項３に係る本発明は（例えば図２ないし図５参照）、前記案内路が、
前記浮遊部材（３８，５５）を通過した遊技球（Ｂａ）を高確率で前記始動入賞口（２７）に入賞させ得る第１案内路（４３，４９）と、
前記浮遊部材（３８，５５）を通過した遊技球（Ｂａ）を前記第１案内路（４３，４９）より低い確率で前記始動入賞口（２７）に入賞させ得る第２案内路（５０）と、を有してなる、
請求項２記載の遊技機（１）にある。
【００１２】
請求項４に係る本発明は（例えば図２ないし図５参照）、前記浮遊部材（３８，５５）が、上流側を向く一端部に連結された連結部材（４２）を介して前記液体収容部（４１）内の液体（Ｌｉ）上にて揺動自在に支持されて浮遊してなる、
請求項１ないし３の何れか１項記載の遊技機（１）にある。
【００１３】
請求項５に係る本発明は（例えば図５参照）、前記浮遊部材（５５）が、遊技球（Ｂａ）を転動させる転動面（５５ｂ）に、転動する遊技球（Ｂａ）の障害物となる複数の凸部（５６）を有してなる、
請求項１ないし４の何れか１項記載の遊技機（１）にある。
【００１４】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１５】
請求項１に係る本発明によると、流路に備えた振分け装置が、液体を収容した液体収容部と、該液体に浮遊した状態で、上流側から転動してくる遊技球を下流側に通過させる際に揺動する浮遊部材とを有するので、流路を通過する遊技球を受ける浮遊部材が、該遊技球の重量移動に起因して液体上で揺れることにより、遊技球に予測困難で新奇な動きを与えながら、その転動方向を振り分けることができる。
【００１６】
請求項２に係る本発明によると、振分け装置が、浮遊部材を通過した遊技球を受け入れて転動させた後に始動入賞口に選択的に入賞させ得る転動部を更に有し、該転動部が、浮遊部材からの遊技球を該浮遊部材の向きに応じて一方向と他方向の何れかに転動移動させる転動路と、該転動路を転動している遊技球を落下させて始動入賞口に導く案内路とを有するので、浮遊部材の揺動で新奇な動きを呈した遊技球を、転動路で転動させつつ、案内路から始動入賞口に上手く入賞できるか否かを遊技者に視覚的に楽しませることができる。
【００１７】
請求項３に係る本発明によると、案内路が、浮遊部材を通過した遊技球を、高確率で始動入賞口に入賞させ得る第１案内路と、該第１案内路より低い確率で始動入賞口に入賞させ得る第２案内路とを有するので、浮遊部材から放出される際の向きに応じて何れの案内路に到達し易くなるか、という状況を作り出すことができる。これにより、遊技者に、遊技球が通過する際の浮遊部材の揺れ方に興味を持たせると共に、どちらの案内路に案内されるかで遊技に減り張りをつけて遊技性を高めることができる。
【００１８】
請求項４に係る本発明によると、浮遊部材が、上流側を向く一端部に連結された連結部材を介して液体収容部内の液体上にて揺動自在に支持されて浮遊するので、上流から流下してきた遊技球を受け入れる際の重量移動で他端部側を揺動させ、それにより、遊技球の転動方向を自然に変更することができる。
【００１９】
請求項５に係る本発明によると、浮遊部材が、遊技球を転動させる転動面に、転動する遊技球の障害物となる複数の凸部を有するので、浮遊部材の予測困難な動きによる遊技球の方向変化に加え、転動面上での凸部への接触による方向変化を引き起こすことができ、遊技球の転動状況に一層の変化を与えることができる。
【発明を実施するための最良の形態】
【００２０】
以下、本発明に係る遊技機の実施形態として、遊技場等に設置されるパチンコ機を図面に沿って説明する。後述する各実施の形態では、本発明の遊技機を所謂１種のパチンコ機として述べるが、本発明はこれに限らず、所謂１種１種など他の種別のパチンコ機にも適用可能であることは勿論である。なお、図１は、本発明の実施形態におけるパチンコ機１の外部構造を示す正面図である。
【００２１】
本パチンコ機１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たり（特別遊技状態）が発生した状態でアタッカー５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２２】
本パチンコ機１は、開口を有する枠体状の筐体６と、この筐体６に開閉可能に装着された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における遊技盤３の上部中央には演出用照明装置８が配設されている。そして、前扉７における遊技盤３の左右上方及び左右下方には、スピーカー（図示せず）を有する放音装置１２がそれぞれ配設されている。また、ガラス枠１０における右側部には、前扉７を筐体６側に施錠したり解放したりするための施錠装置１８が配設されている。なお、筐体６及び前扉７等から遊技機本体が構成されている。
【００２３】
前扉７における遊技盤３の下方には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６には、該皿ユニット１６上の遊技球を発射装置（図示せず）付近から皿ユニット下部の球排出口（図示せず）を通して下方に排出するための第１球抜きボタン２０ａと、皿ユニット１６上の遊技球を球供給口１７付近から上記球排出口を通して下方に排出するための第２球抜きボタン２０ｂとが設けられている。
【００２４】
また、皿ユニット１６の右側には、発射装置を操作して遊技球を遊技領域３ａに向けて打ち出すための発射ハンドル２が配設されている。更に、皿ユニット１６の左下方には灰皿２１、及び遊技者参加ボタン（所謂チャンスボタン）２２が配設されている。なお、図１中の符号１４は、発射ハンドル２の操作で発射された遊技球を遊技領域３ａに導くガイドレールを示している。
【００２５】
遊技領域３ａの中央部には、該遊技領域３ａに打ち出された遊技球を導入し得るワープ導入口３３を有するセンター飾り（センター役物）２３が配設されている。このセンター飾り２３の中央部分には開口部３９が形成され、かつ該開口部３９の下部には、遊技領域３ａに打ち出された遊技球を受け入れて転動させるステージＳが設けられている。本実施形態における該ステージＳは、遊技領域３ａに打ち出された遊技球Ｂａを転動させる流路を構成している。
【００２６】
センター飾り２３の一側部２３ａ下部におけるステージＳを臨む位置には、ワープ導入口３３から導入されて案内通路３４を介して流下する遊技球をステージＳに放出する放出口３５が形成されている。ワープ導入口３３を臨む位置には、一対の障害釘１５が打ち込まれている。ステージＳの中央下部には、該ステージＳ上を転動して案内口４３に落下した遊技球を始動チャッカー２７に向けて落下させるための放出口２８が形成されている。該放出口２８は、ワープ導入口３３から受け入れた遊技球を始動チャッカー２７に高確率（略々１００％）で入賞させ得るように位置決めされている。なお、図１中の符号２３ｂはセンター飾り２３の他側部を示し、符号３６はステージＳと画像表示装置４０の画面４０ａを隔てるための壁部を示している。また、上記始動チャッカー２７は、特別遊技抽選の契機となる入賞が行われる始動入賞口を構成している。
【００２７】
遊技盤３には画像表示装置４０が、ステージＳ上方に位置する開口部３９から画面４０ａを露出させた状態で遊技盤裏面から装着・固定されている。センター飾り２３の左右下方には、大当たり抽選に寄与しない一般の入賞が行われる一般入賞口２５ａ，２５ｂ，２６ａ，２６ｂが配設されており、センター飾り２３の下方には、始動チャッカー２７とアタッカー５とが順次配設されている。
【００２８】
始動チャッカー２７は、大当たり抽選実行の契機となり得る入賞が行われるものであり、開放位置と閉止位置とに開閉動作するように作動する。始動チャッカー２７の直上方には、所謂命釘としての一対の障害釘３０が打ち込まれている。
【００２９】
アタッカー５は、大当たり発生時に開放され、遊技領域３ａに打ち出されて転動落下する遊技球を入賞させるものであり、大当たり発生中、例えば、１回の開放で９個の入球を完了した時点で閉じ、当該開閉動作を１５回繰り返すように構成される。なお、これらの入球数並びに開閉動作の回数は、９個や１５回に限定されることはなく、必要に応じて適宜設定され得るものである。
【００３０】
遊技領域３ａには、センター飾り２３の左右に風車３１が配設されており、ステージ下方における始動チャッカー２７の左右には、普通図柄作動ゲート（スルーゲート）３２が配設されている。この普通図柄作動ゲート３２は、始動チャッカー２７を開閉動作させるための抽選の契機となる遊技球通過が行われる役物である。
【００３１】
遊技領域３ａにおける普通図柄作動ゲート３２、一般入賞口２５ａ，２５ｂ，２６ａ，２６ｂ、始動チャッカー２７等の周囲には、ステージＳから零れた遊技球や、発射されてからステージＳに関与せずに落下してくる遊技球を適宜散らし、或いは入球に導くようにするための障害釘３０を含む多数の障害釘が打ち込まれている。また、ワープ導入口３３の周囲及びその上方側にも、遊技球を適宜散らし、或いは入球に導くようにするための多数の障害釘が打ち込まれている。
【００３２】
なお、本実施形態における「ワープ導入」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７の左右に打ち込まれた複数本の障害釘（図示せず）の列を意味するもので、上方から転動落下してきた遊技球を始動チャッカー２７方向に導く役割を担っている。
【００３３】
次に、センター飾り２３及び該センター飾り２３に搭載した振分け装置２４の構造について、図１とともに図２ないし図４を参照して説明する。なお、図２はステージＳに設けられた振分け装置２４を示し、（ａ）は振分け装置２４の正面図、（ｂ）は遊技球導入前の振分け装置２４を示す平面図、（ｃ）は遊技球導入時の振分け装置２４を示す平面図である。図３はステージＳに設けられた振分け装置２４を示し、（ａ）は遊技球導入後の振分け装置２４を示す平面図、（ｂ）は導入後の遊技球が案内口から始動チャッカー２７に導かれる状態を示す平面図である。図４は浮遊部材３８及びその浮遊構造を詳細に示す斜視図である。
【００３４】
すなわち、図１及び図２に示すように、ステージＳには、遊技球Ｂａの転動方向を振り分ける振分け装置２４が配設されている。該振分け装置２４は、液体Ｌｉを収容した液体収容部４１と、該液体Ｌｉに浮遊した状態で、上流側から転動してくる遊技球Ｂａを下流側に通過させる際に揺動する（揺れ動く）浮遊部材３８と、浮遊部材３８を通過した遊技球Ｂａを受け入れて転動させた後に始動チャッカー２７に選択的に入賞させ得る転動部４６と、を有している。上記液体Ｌｉには、揮発性の低いものを使用することが好ましく、油系液体と水系液体とを混合したものを使用することがより好ましい。
【００３５】
上記液体収容部４１は、一側部２３ａの放出口３５を臨むように壁部３６の前側（即ち、遊技者側）に設けられた平面視略々矩形状のものであり、パチンコ機１に向かって着座している遊技者から内部の液体Ｌｉが視認できるように透明にした前壁部４１ａを有している。液体収容部４１内には液体Ｌｉが満たされており、該液体Ｌｉ上には浮遊部材３８が浮遊状態で保持されている。即ち、該浮遊部材３８は、上流側を向く一端部に連結された連結バネ（連結部材）４２を介して液体収容部４１内の液体Ｌｉ上にて揺動自在に支持されて浮いている。本発明に係る連結部材には、上記連結バネ４２に代えて、糸状のゴム部材、紐部材、或いは細い鎖状の部材等を用いることもでき、それらの場合にも略々同様の効果を奏することができる。なお、図４の符号３７は、液体収容部４１と転動部４６との間にて上方にやや突出するように形成された境界部である。
【００３６】
上記浮遊部材３８は、平面視略々矩形状に形成されており、連結バネ４２に支持された一端部を中心に他端部が液体収容部４１内にて揺動し得るようにされ（図２(c)参照）、放出口３５から放出される遊技球を後述の転動面３８ｂにて受け得るように構成される。図４に示すように、浮遊部材３８は、遊技球Ｂａを転動させる転動面３８ｂと、該転動面３８ｂの幅方向両側に位置して遊技球Ｂａを案内するように隆起している案内壁部３８ａと、を有している。浮遊部材３８の外周面３８ｃと液体収容部４１の内周面４１ｂとの間には、それぞれ、極めて薄く柔軟で液体収容部４１内の液体Ｌｉを外部に零さないようにするための防水シート５４が貼付されている。該防水シート５４は、全体的に液体収容部４１の平面視よりやや大きい矩形状に形成され、中央部に形成された矩形開口から浮遊部材３８全体を突出させた状態で、浮遊部材３８の外周面３８ｃに接触している部分を該外周面３８ｃに水密状に接着剤等で貼り付けられ、且つ液体収容部４１の内周面４１ｂに接触している部分を該内周面４１ｂに水密状に接着剤等で貼り付けられている。この状態において防水シート５４は、液体収容部４１内の液体Ｌｉを外部に漏らさないように確実に保持すると共に、浮遊部材３８の揺動動作（特に、連結バネ４２と反対の他端部側）を許容するように液体Ｌｉ上にて全体的に弛んだ形になっている。
【００３７】
上記転動部４６は、図２及び図３に示すように、浮遊部材３８からの遊技球Ｂａを該浮遊部材３８の向きに応じて一方向（本実施形態では図３の時計回り方向）に転動移動させる転動路４７と他方向（本実施形態では図３の反時計回り方向）に転動移動させる転動路４８と、を有する略々楕円形に構成されている。該転動部４６におけるステージＳの左右幅方向の両側は、それぞれ半円状の折返し部４６ａ，４６ｂとして形成される。更に転動部４６は、転動路４７，４８を転動している遊技球Ｂａを落下させて始動チャッカー２７に導く案内路としての案内口４３及び案内溝４９を転動路４７に有し、転動路４７，４８を転動している遊技球Ｂａを落下させて始動チャッカー２７に導く案内路としての案内溝５０を転動路４８に有している。該案内溝５０は、転動路４８を転がり移動する遊技球を始動チャッカー２７に、放出口２８よりやや低い確率（８０〜８５％程度）で入賞させ得るように構成される。なお、同図では、始動チャッカー２７の直上に位置する障害釘３０は図示しているが、該始動チャッカー２７そのものは図示を省略している。
【００３８】
転動路４７，４８の中央部には、やや上方に突出して該転動路４７，４８を隔てる隔壁部５３が形成されており、案内溝４９は、該隔壁部５３から案内口４３に向かって徐々に広がりながら下降するように傾斜している。また案内溝５０は、隔壁部５３からステージ外方に向かって徐々に広がりながら下降するように傾斜している。転動路４８におけるステージ外方側の案内溝５０の両側には、遊技球のステージ外方への転がりを規制する規制突起５１，５２が形成されている。転動路４７，４８の下方には、案内口４３と放出口２８とを連通し、該案内口４３に落下して遊技球を始動チャッカー２７に向けて落下させるための球通路４４が形成されている。
【００３９】
上記案内口４３及び案内溝４９は、浮遊部材３８を通過した遊技球Ｂａを高確率（略々１００％）で始動チャッカー２７に入賞させ得る第１案内路を構成し、上記案内溝５０は、浮遊部材３８を通過した遊技球Ｂａを上記第１案内路より低い確率（８０〜８５％程度）で始動チャッカー２７に入賞させ得る第２案内路を構成している。
【００４０】
次に、本パチンコ機１による作用について説明する。すなわち、本パチンコ機１に対面して着座した遊技者が発射ハンドル２を握り、適宜の角度に回動操作すると、発射装置の作動で遊技球が所定の時間間隔で遊技領域３ａに向けて連続的に発射される。すると、遊技領域３ａに打ち出されて転動落下する多数の遊技球は、始動チャッカー２７や一般入賞口２５ａ，２５ｂ，２６ａ，２６ｂに適時入賞し、或いは、これらに関与せずに転動落下して、遊技領域３ａ最下部のアウト口（図示せず）から遊技盤３背面側に排出される。
【００４１】
遊技領域３ａに打ち出された遊技球の一部がワープ導入口３３に入球すると、その遊技球Ｂａは、図２（ａ），（ｂ）に示すように案内通路３４を経由して、図２（ｃ）に示すように放出口３５から浮遊部材３８に向けて放出される。該浮遊部材３８は、放出された遊技球Ｂａを転動面３８ｂで受け取る際、該遊技球Ｂａの重量移動に起因して液体Ｌｉ上にて矢印Ａ方向に揺れる。このため、転動面３８ｂ上を転動する遊技球Ｂａは、浮遊部材３８の揺れ具合に応じて、転動路４７，４８の何れかに選択的に放出される。
【００４２】
つまり、図２（ｃ）において、連結バネ４２を中心として反時計回り方向に浮遊部材３８が揺動すると、転動面３８ｂ上の遊技球Ｂａ１は転動路４７側にジャンプしながら転がり移動し、時計回り方向に浮遊部材３８が揺動すると、転動面３８ｂ上の遊技球Ｂａ２は転動路４８側にジャンプしながら転がり移動する。そのため、例えば転動路４７側に転がり移動した遊技球は、図３（ａ）に示すように、転動路４７，４８を有する転動部４６内において時計回り方向に転動移動する。浮遊部材３８から転動路４７に移動した直後は転動に勢いがあるため、当該遊技球Ｂａは、案内溝４９の緩い傾斜の影響を受けることなく該案内溝４９を通過し、折返し部４６ｂで転動路４８側に折り返して、該転動路４８を転がり移動する。その際、該転動路４８を転がり移動する遊技球Ｂａは、案内溝５０に到達する頃には勢いが大分弱まるため、案内溝５０の傾斜の影響を受けて該案内溝５０に沿って始動チャッカー２７側に落下することが多い（図３(b)参照）。該落下する遊技球は、案内口４３から放出口２８を経由して落下する遊技球よりは低い確率で始動チャッカー２７に入賞することになる。
【００４３】
一方、連結バネ４２を中心として時計回り方向に浮遊部材３８が揺動したことで、転動路４８側に転がり移動した遊技球は、転動部４６内において反時計回り方向に転動移動する。転動路４７への移動直後は転動に勢いがあるため、当該遊技球Ｂａは、案内溝５０の緩い傾斜の影響を受けることなく該案内溝５０を通過し、折返し部４６ｂで転動路４７側に折り返して、該転動路４７を転がり移動する。その際、該転動路４７を転がり移動する遊技球Ｂａは、案内溝４９に到達する頃には勢いが大分弱まるため、案内溝４９の傾斜の影響を受けて該案内溝４９に沿って案内口４３に落下することが多い（図３(b)参照）。その際、球通路４４を介して放出口２８から始動チャッカー２７側に落下する遊技球は、案内溝５０に沿って落下する場合に比して高い確率で始動チャッカー２７に入賞する。
【００４４】
放出口２８から放出された遊技球は、上述のように高確率で始動チャッカー２７に入賞することになるが、障害釘３０への当接状況や、センター飾り２３に関与せずに遊技領域３ａ上流側から流下してきた遊技球との衝突状況によって入賞できないこともある。また、案内口４３や案内溝５０に導かれない遊技球の多くは、ステージ下方に放出されて始動チャッカー２７とは異なる方向に落下するが、場合によっては、障害釘３０の左右に打ち込まれた所謂ジャンプ釘（図示せず）や、該ジャンプ釘から左右方向に配列された道釘（図示せず）で弾き返されることで、障害釘３０に絡んでその間を落下して始動チャッカー２７に入賞することもある。
【００４５】
そして、始動チャッカー２７への入賞を契機として実行される大当たり抽選（特別遊技抽選）の結果に関する内容等が、遊技者の視覚に訴えるように画面４０ａ上で演出表示される。その際、画面４０ａ上の演出に合わせて、放音装置１２が放音駆動されたり、演出用照明装置８，１１が発光駆動されて、演出が盛り上げられる。そして、画面４０ａ上に表れた抽選結果が大当たり決定である場合、アタッカー５が開放され、所定数入賞が終了する毎に閉塞する動作を所定回数（所定ラウンド）だけ繰り返され、アタッカー５への入賞球数に対応する多量の遊技球が球供給口１７から皿ユニット１６に払い出される。
【００４６】
以上のように本実施形態によれば、ステージＳを通過する遊技球を受ける浮遊部材３８が、該遊技球の重量移動に起因して液体Ｌｉ上で揺れることにより、遊技球に予測困難で新奇な動きを与えながらその転動方向を振り分けることができる。
【００４７】
また本実施形態では、振分け装置２４が、浮遊部材３８を通過した遊技球を受け入れて転動させた後に始動チャッカー２７に選択的に入賞させ得る転動部４６を有し、該転動部４６が、浮遊部材３８からの遊技球を該浮遊部材３８の向きに応じて一方向と他方向の何れかに転動移動させる転動路４７，４８と、該転動路４７，４８を転動している遊技球を落下させて始動チャッカー２７に導く案内路である案内溝４９及び案内口４３並びに案内溝５０と、を有している。これにより、浮遊部材３８の揺動で新奇な動きを呈した遊技球を、転動路４７，４８で転動させつつ、案内溝４９，案内口４３や案内溝５０から始動チャッカー２７に上手く入賞できるか否かを、遊技者に視覚的に楽しませることができる。
【００４８】
そして本実施形態では、案内溝４９及び案内口４３が、浮遊部材３８を通過した遊技球を高確率で始動チャッカー２７に入賞させ得る第１案内路を構成し、案内溝５０が、浮遊部材３８を通過した遊技球を上記第１案内路より低い確率で始動チャッカー２７に入賞させ得る第２案内路を構成している。これにより、浮遊部材３８から放出される際の向きに応じて何れの案内路に到達し易くなるか、という状況を作り出すことができ、遊技者に、遊技球が通過する際の浮遊部材３８の揺れ方に興味を持たせると共に、どちらの案内路に案内されるかで遊技に減り張りをつけて遊技性を高めることができる。
【００４９】
更に本実施形態では、浮遊部材３８が、上流側を向く一端部に連結された連結バネ４２を介して液体収容部４１内の液体Ｌｉ上にて揺動自在に支持されて浮遊するので、上流から流下してきた遊技球を受け入れる際の重量移動で他端部側を滑らかに揺動させ、それにより、遊技球の転動方向を自然に変更することができる。
【００５０】
また本実施形態では、本発明の流路を、センター飾り２３に備えたステージＳに適用したので、遊技中に遊技者が最も注目しているステージＳにて浮遊部材３８を揺動させ、遊技領域３ａに打ち出されてセンター飾り２３に導入された遊技球の振り分け状況を常に遊技者に強く意識させることができる。
【００５１】
ついで、本実施形態の変形例について図５を参照して説明する。図５は、本変形例におけるステージＳに設けられた振分け装置２４を示し、（ａ）は浮遊部材５５を揺動していない状態で示す平面図、（ｂ）は浮遊部材５５を揺動している状態で示す平面図、（ｃ）は浮遊部材５５を拡大して示す平面図である。なお、本変形例は、前述の実施形態に比して浮遊部材５５の構成が異なるだけで他の部分は同様であるため、共通する構成部分に同じ符号を付してその説明を省略する。
【００５２】
すなわち、図５（ａ），（ｂ），（ｃ）に示すように、本変形例における浮遊部材５５は、連結バネ４２に支持された一端部から他端部に向かって次第に広がる略扇形状を呈しており、遊技球Ｂａを転動させる転動面５５ｂと、転動する遊技球Ｂａの障害物となるように該転動面５５ｂに植設された複数の凸部５６と、を有している。
【００５３】
以上の本変形例によると、前述した実施形態と略々同様の作用効果を得ることができると共に、上記複数の凸部５６を有することで、浮遊部材５５の予測困難な動きによる遊技球の方向変化に加え、転動面５５ｂ上での凸部６５への接触による方向変化を引き起こすことができ、遊技球の転動状況に一層の変化を与えることができる。なお、本変形例における複数の凸部５６を、前述した実施形態における平面視略々矩形状の浮遊部材３８の転動面３８ｂに設けることもでき、その場合も本変形例と略々同様の作用効果を得ることができる。
【００５４】
また、前述した実施形態及び本変形例では、本発明に係る「流路」をセンター飾り２３のステージＳに適用したが、これに限らず、該流路を、ステージＳ以外の他の遊技球通過部（例えば、遊技領域３ａにおける遊技球通過部分）に適用しても良いことは勿論である。更に、前述した実施形態及び本変形例では、浮遊部材３８，５５をそれぞれ１個のみ使用していたが、これに限らず、２個以上の浮遊部材を互いに連結して連続的に設けるように構成することもできる。その場合、連続的に揺動する新奇な動き（いわゆる蛇行動作）をする浮遊部材上で遊技球を転動させることができ、従って、一層予測困難な動きを遊技球に与えることができる。
【００５５】
以上、本発明をその好適な実施形態及び変形例に基づいて説明したが、本発明の遊技機は、実施形態及び変形例の構成にのみ限定されるものではなく、実施形態及び変形例の構成から種々の修正及び変更を施した遊技機も、本発明の範囲に含まれる。
【図面の簡単な説明】
【００５６】
【図１】本発明に係るパチンコ機の外部構造を示す正面図である。
【図２】ステージに設けられた振分け装置を示し、（ａ）は振分け装置の正面図、（ｂ）は遊技球導入前の振分け装置を示す平面図、（ｃ）は遊技球導入時の振分け装置を示す平面図である。
【図３】ステージに設けられた振分け装置を示し、（ａ）は遊技球導入後の振分け装置を示す平面図、（ｂ）は導入後の遊技球が案内口から始動チャッカーに導かれる状態を示す平面図である。
【図４】浮遊部材及びその浮遊構造を詳細に示す斜視図である。
【図５】変形例におけるステージに設けられた振分け装置を示し、（ａ）は浮遊部材を揺動していない状態で示す平面図、（ｂ）は浮遊部材を揺動している状態で示す平面図、（ｃ）は浮遊部材を拡大して示す平面図である。
【符号の説明】
【００５７】
１    遊技機（パチンコ機）
３ａ    遊技領域
２３    センター役物（センター飾り）
２４    振分け装置
２７    始動入賞口（始動チャッカー）
３８，５５    浮遊部材
４１    液体収容部
４２    連結部材（連結バネ）
４３，４９    案内路、第１案内路（案内口、案内溝）
４６    転動部
４７，４８    転動路
５０    案内路、第２案内路（案内溝）
５５ｂ    転動面
５６    凸部
Ｂａ    遊技球
Ｌｉ    液体
Ｓ    流路（ステージ）
【図１】
2009095500.tif 000003
【図２】
2009095500.tif 000004
【図３】
2009095500.tif 000005
【図４】
2009095500.tif 000006
【図５】
2009095500.tif 000007